(57)【特許請求の範囲】
【請求項１】
ドーザで押出す雪が左右に逃げることを防止する側板をドーザの両端に取付け、これらの側板は、前記ドーザに取付ける平板部と、この平板部から前方へ開いた傾斜部とからなり、
この傾斜部の外側の面に手を掛けるための高さ違いの複数の凹部を設け、これらの凹部は、側板の内側からは凸部として形成され、前記凹部を積雪量の大小を除雪機の周囲の広い範囲から確認するための目印とし、
走行用クローラを駆動するために、駆動軸に取付けられた駆動輪に前記走行用クローラを掛け、
前記凹部は、その一つが前記駆動軸の軸心を通る水平線より下方に位置し、他の一つが前記水平線より上方に位置することを特徴とする除雪機。
【発明の詳細な説明】
【０００１】
【発明の属する技術分野】
本発明はドーザの着脱、移動を行うのに好適な除雪機に関する。
【０００２】
【従来の技術】
前部に雪を掻きのけるためのドーザを備えた除雪用車両としては、例えば、実開昭５４−９０９２６号公報「除雪車」が知られている。
上記技術には、同公報の第１図に、車台１に左右一対の操作杆２，２及び同じく左右一対の支持杆３，３を取付け、これらの操作杆２，２及び支持杆３，３の先端に除雪板４を取付けることで、車台１の前方に除雪板４を配置した無限軌道車Ａが記載されている。
【０００３】
【発明が解決しようとする課題】
上記技術において、除雪板４は、掻き集めて重くなった雪を押し退けるだけの剛性を有するため、必然的に重量物となる。
従って、例えば、無限軌道車Ａの点検、保守のために上記除雪板４の取外し又は取付を行う場合、除雪板４を作業者が容易に着脱したり移動したりすることはできない。
【０００４】
そこで、本発明の目的は、ドーザの着脱、移動を容易に行うことができる除雪機を提供することにある。
【０００５】
【課題を解決するための手段】
上記目的を達成するために請求項１は、ドーザで押出す雪が左右に逃げることを防止する側板をドーザの両端に取付け、これらの側板を、ドーザに取付ける平板部と、この平板部から前方へ開いた傾斜部とから構成し、この傾斜部の外側の面に手を掛けるための高さ違いの複数の凹部を設け、これらの凹部を、側板の内側からは凸部として形成し、凹部を積雪量の大小を除雪機の周囲の広い範囲から確認するための目印とし、走行用クローラを駆動するために、駆動軸に取付けられた駆動輪に走行用クローラを掛け、凹部の一つが駆動軸の軸心を通る水平線より下方に位置し、凹部の他の一つが水平線より上方に位置することを特徴とする。
【０００６】
ドーザの両端に、ドーザで押出す雪が左右に逃げることを防止する側板を取付け、この側板に凹部を設け、この凹部に手を掛けてドーザの着脱、移動を行う。
これにより、ドーザの着脱、移動を容易に行うことができ、除雪機の保守、点検を楽に行うことができる。
【０００７】
凹部を目印として積雪量の大小を確認する。
この結果、ものさし等を用意しなくても凹部によって積雪量の大小を容易に確認することができ、除雪作業前に、除雪開始のタイミングや、除雪方法を判断することができ、効率的に除雪を行うことができる。
【０００８】
【発明の実施の形態】
本発明の実施の形態を添付図に基づいて以下に説明する。なお、図面は符号の向きに見るものとする。
図１は本発明に係る除雪機のドーザ組立体を示す分解斜視図である。
ドーザ組立体１０は、後述する除雪機の前部に取付けることで積もった雪を掻きのけるための付属品であり、前面１１を後方へ湾曲させたドーザとしてのドーザ本体１２と、このドーザ本体１２の背面に取付けたドーザ本体支持部１３と、ドーザ本体１２の前面１１の下部に取付ける爪１４と、ドーザ本体１２の左右の側面１５，１６（符号１６は不図示）に取付ける側板１７，１８とからなる。なお、Ｂ１はドーザ本体１２の側面１５，１６に側板１７，１８を取付けるボルト、Ｂ２はドーザ本体１２の前面１１に爪１４を取付けるためのビスである。
【０００９】
ドーザ本体１２は、前進させることで、湾曲させた前面１１により積もった雪を下からすくうとともに前方へロールさせ、少ない抵抗で除雪するための部材である。
ドーザ本体支持部１３は、後部に除雪機の車台側へ取付けるためのボックス部２１を備える。
爪１４は、積もった雪、特に氷状に固まった根雪に食い込ませるための部材である。
【００１０】
側板１７，１８は、ドーザ本体１２で押出す雪がドーザ本体１２の左右に逃げることを防止する部材であり、ドーザ本体１２に取付ける平板部２２，２３と、この平板部２２，２３から前方へ開いた傾斜部２４，２５とからなる。
傾斜部２４，２５は、それぞれ外側の面（傾斜部２４については、手前側の面、傾斜部２５については、奥側の面）に凹部２６，２７を形成した部分である。
【００１１】
図２は本発明に係る除雪機の側面図であり、除雪機３０は、ボックス状に形成した車台３１と、この車台３１に搭載したエンジン３２と、このエンジン３２の出力軸に図示せぬ動力伝達機構を介して連結した駆動軸３３と、この駆動軸３３の両端部に取付けた駆動輪３４，３４（奥側は不図示）と、駆動軸３３にスイング可能に取付けた左右のスイングアーム３５，３５（奥側は不図示）と、これらのスイングアーム３５の後部に回転可能に取付けた従動軸３６と、この従動軸３６の両端部に取付けた従動輪３７，３７（奥側は不図示）と、駆動輪３４，３４と従動輪３７，３７とにそれぞれ掛け渡したクローラ３８，３８（奥側は不図示）とからなる。
【００１２】
また、除雪機３０は、車台３１の後部から後ろ斜め上方に延ばし更に後方に延ばした左右一対のハンドルバー４１，４１（奥側は不図示）と、これらのハンドルバー４１，４１の中間部と上記スイングアーム３５，３５の後端との間に取付けたサスペンション４２と、走行状態を選択するためにハンドルバー４１，４１の上部に取付けた操作部４３と、車台３１の前部に取付けた前述のドーザ組立体１０とからなる。なお、４７，４７（奥側は不図示）はグリップである。
【００１３】
サスペンション４２は、ハンドルバー４１に取付けたブラケット５１と、このブラケット５１にスイング可能に取付けた上部リンク５２と、この上部リンク５２にスイング可能に取付けた下部リンク５３と、この下部リンク５３をスイング可能に取付けるためにスイングアーム３５，３５間に渡した後部ビーム５４と、ハンドルバー４１の下部と上部リンク５２の下部との間に渡した引張コイルばね５５とからなる。
【００１４】
図３は本発明に係る除雪機の正面図であり、ドーザ本体１２の左右の側面にそれぞれ側板１７，１８を取付け、ドーザ本体１２の前面１１下部に爪１４を取付けたドーザ組立体１０を示す。なお、５７はエンジン３２の出力軸に取付けた動力伝達機構を覆うカバー、５８は燃料タンク、６１はマフラ、６２はマフラ６１の後方に配置したエアクリーナである。
【００１５】
図４は本発明に係る除雪機の要部拡大側面図であり、側板１７の凹部２６は、駆動軸３３の軸心を通る水平線ＨＬより下方に位置し、地面Ｅからの高さをＨ１とし、凹部２７は、水平線ＨＬより上方に位置し、地面Ｅからの高さをＨ２としたものである。側板１８（図３参照）の凹部２６，２７についても、側板１７のものと同一の高さにある。なお、Ｂ３…（…は複数個を示す。以下同様。）は車台３１にドーザ組立体１０を取付けるためのボルトである。
【００１６】
凹部２６，２７は、例えば鋼板にプレス等の塑性加工で形成したものであり、ドーザ組立体１０を車台３１に対して着脱したり、取外したドーザ組立体１０を移動したりする時に手を掛ける部分である。
【００１７】
また、凹部２６，２７は、積雪量の大小を確認するための目印を兼ねる。例えば、凹部２６は、湿った重い雪を無理なく１回で掻きのけることができる積雪量の目印であり、凹部２７は、例えば、さらさらした軽い雪を無理なく１回で掻きのけることができる積雪量の目印である。
即ち、凹部２６，２７は、各地域の雪質に応じて除雪作業に最適な積雪量を判断する目印である。
【００１８】
上記した凹部２６，２７は、除雪機３０の側方からその位置を確認することができ、また、側板１７，１８の内側からは凸部としてその位置を確認することができるため、操作部４３（図２参照）の後方に立つ作業者の位置を含む除雪機３０の周囲の広い範囲から確認することができ、この凹部２６，２７を目印として積雪量の大小を広い範囲から確認することができる。
【００１９】
以上に述べた除雪機３０の作用を次に説明する。
図５（ａ）〜（ｃ）は本発明に係る除雪機の作用を説明する第１作用図であり、ドーザ組立体１０の着脱、移動について説明する。
（ａ）は、ドーザ組立体１０を車台３１から取外す前の状態である。
【００２０】
（ｂ）において、ドーザ組立体１０の下端と地面Ｅとの間にスペーサＳを介在させ、車台３１にドーザ組立体１０を固定するボルトＢ３…を外す。
ドーザ組立体１０と地面Ｅとの間にスペーサＳを介在させたので、ボルトＢ３…を外す時に、ボルトＢ３…に無理な力が作用せず、容易にボルトＢ３…を外すことができ、また、ドーザ組立体１０が落下したり、車台３１側が急に傾くことがない。
【００２１】
（ｃ）において、一人の作業者がドーザ組立体１０の側板１７側の凹部２６に一方の手ＬＨを掛け、ドーザ本体支持部１３の下部に他方の手ＲＨを掛け、もう一人の作業者が側板１８（図３参照）側の凹部２６に一方の手（不図示）を掛け、ドーザ本体支持部１３の下部に他方の手（不図示）を掛けて、ドーザ組立体１０を車台３１から取外し、そのまま地面Ｅに下ろしたり、取外した後に持ち上げて、所望の場所まで移動する。
【００２２】
このように、ドーザ本体１２（図１参照）で押出す雪が左右に逃げることを防止する側板１７，１８をドーザ本体１２の両端に取付け、側板１７，１８に手を掛けるための凹部２６，２７を設けたので、ドーザ組立体１０の着脱、移動を容易に行うことができ、除雪機の保守、点検を楽に行うことができる。
【００２３】
また、凹部２６，２７に手を掛けるようにしたので、例えば、側板１７，１８の尖った下端に手を掛けるよりも掛けやすくなる。
更に、凹部２６，２７は、プレス等の塑性加工で形成したものなので、容易に形成することができ、コストアップを抑えることができる。
【００２４】
図６（ａ）〜（ｃ）は本発明に係る除雪機の作用を説明する第２作用図であり、凹部２６，２７により積雪量の大小を確認し、除雪作業の開始タイミング、除雪方法の判断を行う場合について説明する。
（ａ）において、例えば、湿った重い雪ＳＮが、凹部２６よりも低く積もった場合、積雪量をＡ１とすると、積雪量Ａ１は、無理なく除雪することができる目印である凹部２６の高さＨ１よりも小さいので、作業者は、除雪機で無理なく１回で除雪することができる。
また、さらさらした軽い雪ＳＮがＡ１だけ積もった場合、積雪量Ａ１は、無理なく除雪することができる目印である凹部２７の高さＨ２よりも小さいので、作業者は、除雪機で無理なく１回で除雪することができる。
【００２５】
（ｂ）において、例えば、湿った重い雪ＳＮが、凹部２６と凹部２７との間まで積もった場合、積雪量をＡ２とすると、積雪量Ａ２は、無理なく除雪することができる目印である凹部２６の高さＨ１よりも大きいので、１回で除雪することができないため、作業者は、除雪機で数回に分けて除雪することになる。
また、さらさらした軽い雪ＳＮがＡ２だけ積もった場合には、積雪量Ａ２は、無理なく除雪することができる目印である凹部２７の高さＨ２よりも小さいので、作業者は、除雪機で無理なく１回で除雪することができる。
【００２６】
（ｃ）において、例えば、湿った重い雪ＳＮが、凹部２７よりも高く積もった場合、積雪量をＡ３とすると、積雪量Ａ３は、無理なく除雪することができる目印である凹部２６の高さＨ１よりも大きいので、１回で除雪することができないため、作業者は、除雪機で数回に分けて除雪することになる。
また、さらさらした軽い雪ＳＮが積雪量Ａ３だけ積もった場合にも、積雪量Ａ３は、無理なく除雪することができる目印である凹部２７の高さＨ２よりも大きいので、１回で除雪することができないため、作業者は、除雪機で数回に分けて除雪することになる。
【００２７】
また、１回で除雪作業が行えるように、例えば、湿った重い雪では、積雪量が凹部２６を越える前に作業を開始し、さらさらした軽い雪では、積雪量が凹部２７を越える前に作業を開始することが可能になる。
【００２８】
このように、凹部２６，２７を積雪量の大小を確認するための目印としたので、ものさし等を用意しなくても凹部２６，２７によって積雪量の大小を容易に確認することができ、除雪作業前に、除雪開始のタイミングや、除雪方法を判断することができ、効率的に除雪を行うことができる。
【００２９】
尚、凹部２６，２７は、側板１７，１８に設けたものであるが、これに限るものではなく、ドーザ本体支持部１３の側面、又は、側板１７，１８とドーザ本体支持部１３との両方に設けてもよい。
更に、凹部２６，２７の形状を長孔としたが、矩形、円形、楕円形、三日月形、多角形としてもよい。
【００３０】
【発明の効果】
本発明は上記構成により次の効果を発揮する。
請求項１の除雪機は、ドーザで押出す雪が左右に逃げることを防止する側板をドーザの両端に取付け、これらの側板を、ドーザに取付ける平板部と、この平板部から前方へ開いた傾斜部とから構成し、この傾斜部の外側の面に手を掛けるための高さ違いの複数の凹部を設け、これらの凹部を、側板の内側からは凸部として形成し、凹部を積雪量の大小を除雪機の周囲の広い範囲から確認するための目印とし、走行用クローラを駆動するために、駆動軸に取付けられた駆動輪に走行用クローラを掛け、凹部の一つが駆動軸の軸心を通る水平線より下方に位置し、凹部の他の一つが水平線より上方に位置するので、ドーザの着脱、移動を容易に行うことができ、除雪機の保守、点検を楽に行うことができる。
【００３１】
また、凹部を積雪量の大小を確認するための目印としたので、ものさし等を用意しなくても凹部によって積雪量の大小を容易に確認することができ、除雪作業前に、除雪開始のタイミング、即ちいつ除雪を開始すればスムーズに除雪できるかや、除雪方法、即ち１回で除雪することができるのか或は数回に分けて除雪しなければならないのか等を判断することができ、効率的に除雪を行うことができる。
【図面の簡単な説明】
【図１】  本発明に係る除雪機のドーザ組立体を示す分解斜視図
【図２】  本発明に係る除雪機の側面図
【図３】  本発明に係る除雪機の正面図
【図４】  本発明に係る除雪機の要部拡大側面図
【図５】  本発明に係る除雪機の作用を説明する第１作用図
【図６】  本発明に係る除雪機の作用を説明する第２作用図
【符号の説明】
１０…ドーザ組立体、１２…ドーザ（ドーザ本体）、１７，１８…側板、２２，２３…平板部、２４，２５…傾斜部、２６，２７…凹部、３０…除雪機、３３…駆動軸、３４…駆動輪、３８…走行用クローラ（クローラ）、ＨＬ…水平線。
【図１】
0004205253.tif 000002
【図２】
0004205253.tif 000003
【図３】
0004205253.tif 000004
【図４】
0004205253.tif 000005
【図５】
0004205253.tif 000006
【図６】
0004205253.tif 000007